(57)【要約】【課題】本発明は、カバーのロータリ開閉とスライド開閉が選択的になされて、メイン胴体の前面に数字キーとファンクションキーを共に設置することができる充分の開放領域を確保したロータリアンドスライドタイプ携帯端末機用ヒンジモジュール及びこれを用いた携帯端末機を提供するためのものである。【解決手段】本発明は、携帯端末機の場合、メイン胴体、メイン胴体の前側に配向して設けられるカバー、メイン胴体に固定されるベース、ベースに回転可能に結合されてカバーのロータリ開閉時、カバーと共に回転する第１マウント、及びカバーに結合された状態で第１マウントに上下方向にスライディング可能に結合されて、カバーのスライド開閉時、カバーと共にスライディングされる第２マウントを含んでなされ、カバーのロータリ開閉時、その回転軸がメイン胴体の上部で左方または右方に偏った位置に形成されるようにベースと第１マウントとの間の結合部位が第１マウントの左方または右方に偏ったことを特徴とする。【選択図】図７
2009177343.tif 000002
【特許請求の範囲】
【請求項１】
メイン胴体に対し、カバーが上下方向スライド開閉及びロータリ開閉可能に前記メイン胴体及びカバーを結合させるロータリアンドスライドタイプ携帯端末機用ヒンジモジュールであって、
前記携帯端末機のメイン胴体に固定されるベースと、
前記ベースに回転可能に結合されて、前記カバーのロータリ開閉時、前記カバーと共に回転する第１マウントと、
前記携帯端末機のカバーに結合された状態で前記第１マウントに上下方向にスライディング可能に結合されて、前記カバーのスライド開閉時、前記カバーと共にスライディングされる第２マウントとを含んでなり、
前記カバーのロータリ開閉時、その回転軸が前記メイン胴体の上部で左方または右方に偏った位置に形成されるように、前記ベースと第１マウントとの間の結合部位が左方または右方に偏ったことを特徴とするロータリアンドスライドタイプ携帯端末機用ヒンジモジュール。
【請求項２】
前記第１マウントの回転時、遷移点を過ぎない角度以内では、前記第１マウントの逆回転方向に力を提供し、遷移点を過ぎた角度からは前記第１マウントの回転方向に力を提供するように、前記ベースと第１マウントとを結合させるカム手段をさらに具備することを特徴とする請求項１記載のロータリアンドスライドタイプ携帯端末機用ヒンジモジュール。
【請求項３】
前記カム手段は、
前記ベースに設けられて進退するプッシング体と、
前記プッシング体を進出方向に押圧するプッシング体用スプリングと、
前記カバーのロータリ開閉時、前記第１マウントと共に回転するように前記第１マウントと結合され、前記遷移点に到達する時まで前記プッシング体を接触して後退する方向に押圧する三角突起を具備した回転体と、
前記プッシング体が前記回転体の三角突起の頂点と正面に接触して後退した時を遷移点にして、前記遷移点が過ぎない角度以内では前記回転体が回転する反対方向に力を受けて、前記遷移点を過ぎた角度からは前記回転体が回転する方向に力を受けることを特徴とする請求項２記載のロータリアンドスライドタイプ携帯端末機用ヒンジモジュール。
【請求項４】
前記ベースは、前記プッシング体、プッシング体スプリング、及び回転体が受容される収容空間を具備したことを特徴とする請求項３記載のロータリアンドスライドタイプ携帯端末機用ヒンジモジュール。
【請求項５】
前記ベースに支持されるクリック体用スプリングと、前記クリック体用スプリングにより弾性支持されて回転体と接触する半球型のクリック体をさらに具備し、
前記回転体にはロータリ開閉により前記カバーが最終的に開いて閉じる瞬間、クリック感が与えられるように、前記クリック体の一部が引き込まれる引込溝が備えられたことを特徴とする請求項３記載のロータリアンドスライドタイプ携帯端末機用ヒンジモジュール。
【請求項６】
前記第１マウントと第２マウントとの間に設けられて、前記第２マウントの上下方向スライディング時、遷移点を過ぎない距離以内では前記カバーが閉じる方向に力を提供し、遷移点を過ぎた距離からは前記カバーが開く方向に力を提供するスライド手段を具備することを特徴とする請求項１記載のロータリアンドスライドタイプ携帯端末機用ヒンジモジュール。
【請求項７】
前記スライド手段は、一側端部は前記第１マウントにヒンジ結合され、他側端部は前記第２マウントにヒンジ結合されたトーションスプリングであることを特徴とする請求項６記載のロータリアンドスライドタイプ携帯端末機用ヒンジモジュール。
【請求項８】
前記第２マウントが前記第１マウントに対して上下方向にスライディング可能に結合できるように、前記第１マウントには左右両端部に上下方向レールが形成されたレール部材が設けられ、前記第２マウントには左右両端部に前記上下方向レールに対応してスライディング可能に挟まれるＬ字形態の上下方向スライディング片が上下方向に沿って形成されたことを特徴とする請求項６記載のロータリアンドスライドタイプ携帯端末機用ヒンジモジュール。
【請求項９】
メイン胴体に対し、カバーが上下方向にスライド開閉及びロータリ開閉されてメイン胴体を開放する携帯端末機であって、
メイン胴体と、
前記メイン胴体の前側に配向して設けられるカバーと、
前記メイン胴体に固定されるベースと、
前記ベースに回転可能に結合されて、前記カバーのロータリ開閉時、前記カバーと共に回転する第１マウントと、
前記カバーに結合された状態で、前記第１マウントに上下方向にスライディング可能に結合されて、前記カバーのスライド開閉時、前記カバーと共にスライディングされる第２マウントとを含んでなり、
前記カバーのロータリ開閉時、その回転軸が前記メイン胴体の上部で左方または右方に偏った位置に形成されるように、前記ベースと第１マウントとの間の結合部位が左方または右方に偏ったことを特徴とする携帯端末機。
【請求項１０】
前記メイン胴体は、前面上部の一側辺に突出されたガイド突起を具備し、
前記カバーの後面には、前記カバーのロータリ開閉時とスライド開閉時に前記ガイド突起の移動軌道に沿って形成されて、前記ガイド突起を引込させて案内する円弧形態のロータリ方向ガイドトラックと直線形態のスライド方向ガイドトラックとが備えられ、
前記ロータリ方向ガイドトラックとスライド方向ガイドトラックとは、前記カバーが閉じた状態で、前記ガイド突起が位置する箇所に交叉されるようにしたことを特徴とする請求項９記載の携帯端末機。
【請求項１１】
前記第１マウントの回転時、遷移点を過ぎない角度以内では前記第１マウントの逆回転方向に力を提供し、遷移点を過ぎた角度からは前記第１マウントの回転方向に力を提供するように前記ベースと第１マウントとを結合させるカム手段をさらに具備することを特徴とする請求項９記載の携帯端末機。
【請求項１２】
前記カム手段は、
前記ベースに設けられて進退するプッシング体と、
前記プッシング体を進出方向に押圧するプッシング体用スプリングと、
前記カバーのロータリ開閉時、前記第１マウントと共に回転するように前記第１マウントと結合され、前記遷移点に到達する時まで前記プッシング体を接触して後退する方向に押圧する三角突起を具備した回転体と、
前記プッシング体が前記回転体三角突起の頂点と正面に接触して後退した時を遷移点にして、前記遷移点が過ぎない角度以内では前記回転体が回転する反対方向に力を受けて、前記遷移点を過ぎた角度からは前記回転体が回転する方向に力を受けることを特徴とする請求項１１記載の携帯端末機。
【請求項１３】
前記ベースは、前記プッシング体、プッシング体スプリング、及び回転体が受容される収容空間を具備したボックス形態で形成され、
前記メイン胴体には前記ベースが引き込まれて安着する安着溝が形成されたことを特徴とする請求項１２記載の携帯端末機。
【請求項１４】
前記ベースに支持されるクリック体用スプリングと、前記クリック体用スプリングにより弾性支持されて回転体と接触する半球型のクリック体をさらに具備し、
前記回転体には前記カバーがロータリ開閉により最終的に開いて閉じる瞬間、クリック感が与えられるように、前記クリック体の一部が引き込まれる引込溝が備えられたことを特徴とする請求項１２記載の携帯端末機。
【請求項１５】
前記第１マウントと第２マウントとの間に設けられて、前記第２マウントの上下方向スライディング時、遷移点を過ぎない距離以内では前記カバーが閉じる方向に力を提供し、遷移点を過ぎた距離からは前記カバーが開く方向に力を提供するスライド手段を具備することを特徴とする請求項９記載の携帯端末機。
【請求項１６】
前記スライド手段は、一側端部は前記第１マウントにヒンジ結合され、他側端部は前記第２マウントにヒンジ結合されたトーションスプリングで備えられ、
前記第２マウントが前記第１マウントに対して上下方向にスライディング可能に結合できるように、前記第１マウントには左右両端部に上下方向レールが形成されたレール部材が設けられ、前記第２マウントには左右両端部に前記上下方向レールに対応してスライディング可能に挟まれるＬ字形態の上下方向スライディング片が上下方向に沿って形成されたことを特徴とする請求項１５記載の携帯端末機。
【発明の詳細な説明】
【技術分野】
【０００１】
本発明は、携帯端末機に関し、特にカバーのロータリ開閉とスライド開閉が選択的になされて、カバーのロータリ開閉のための回転軸が左方または右方に偏るようにした偏心構成により製品のスリム化に有利なことは勿論、メイン胴体の前面の開放領域が大きくなるにつれてファンクションキー及び数字キーをメイン胴体に共に配置できるようになって、カバー前面の全体をタッチスクリーンとして活用できるロータリアンドスライドタイプ携帯端末機用ヒンジモジュール及びこれを用いた携帯端末機に関する。
【背景技術】
【０００２】
一般に、通信端末機は、有無線通信端末機に区分されることができ、有線通信端末機は、事務用や家庭用デスクタイプ電話機が代表的であり、無線通信端末機はＰＣＳ、セルラーフォン、またはＰＤＡが代表的な例である。
【０００３】
このような通信端末機は、その技術の発達によって単純な音声情報のみを伝達する段階を超えて、スクリーンを通じて文字情報、画像情報、ゲームなどの多様な画像サービスをユーザに提供する知能型マルチ端末機に変化してきた。
【０００４】
したがって、上記のような画像サービスを便利に提供されることができるように、スクリーンが設けられた多様な形態の通信端末機が開発されており、最近は脚光を浴びているＤＭＢ（Digital Multimedia Broadcasting）サービス及び携帯用マルチメディア機器（Personal Multimedia Player：ＰＭＰ）の用途を可能にし、知能型マルチ端末機を積極的に指向できるタイプの携帯端末機が普及されている。
【０００５】
図１及び図２は、従来の技術に従うロータリタイプ携帯端末機を示す参照図である。
【０００６】
図示したように、従来技術によるロータリタイプ携帯端末機は、本体上部の中央に位置した回転軸（Ｓ）を中心に、本体１０に対してカバー２０が段階的に９０度、１８０度回転しながら開閉されるように構成された。
【０００７】
このような従来のロータリタイプ携帯端末機は、カバー２０を横モードにして、カバー２０の前面に設けられたスクリーン２１を見ることができるので、最近に脚光を浴びているＤＭＢ（Digital Multimedia Broadcasting）サービス及び携帯用マルチメディア機器（Personal Multimedia Player：ＰＭＰ）の用途に活用可能であり、知能型マルチ端末機を指向するに有利であった。
【０００８】
しかしながら、従来のロータリタイプ携帯端末機は、カバー２０を回転させて本体の前面を開放させた時、その開放された領域の面積が数字キー１１とファンクションキー２１を共に集中的に配置するには充分でなかった。したがって、数字キー１１とファンクションキー２１を各々本体１０前面及びカバー２０前面に分散して配置せざるを得なかった。このような短所のため、カバー２０にスクリーン２２を設置することができる有効面積が制限されて携帯端末機で一層広いスクリーンを設置しようとする最近の傾向に逆行せざるをえなかった。
【０００９】
また、図示したように、カバー２０を９０度回転させて横モードにした際、本体１０に対してカバー２０が左方または右方に過度に偏った逆Ｌ字形態になって、視聴が多少不便で、かつ美感上でもよくなかった。したがって、このような問題を解消するための方法として、 一部の製品では本体の前面の最下方にファンクションキーを配置する代わりに、設けられたファンクションキーが常時表れるように、本体よりカバーの長さを短くし、回転軸はより下方に形成させて、本体とカバーがＴ字形態をなすようにすることもした。しかしながら、このようなＴ字形製品の場合もカバーの長さ自体が縮小されたので、携帯端末機のサイズに比べて広いスクリーンを確保するに制限的であった。
【００１０】
また、従来のロータリタイプ携帯端末機は、横モードによりＤＭＢや映画視聴には便利でありえるが、通話時には相当に不便な問題点があった。一部の製品は、図２のように、カバーを１８０度回転させて電話通話に気楽なように充分の長さを確保するようにしたが、通話のためにカバーを１８０度まで段階的に回転させることは、カバーを簡単に押して上げるだけのスライド方式に比べて不便にならざるをえなかった。
【発明の開示】
【発明が解決しようとする課題】
【００１１】
本発明は、上記のような従来の諸問題を解消するために提案されたものであって、本発明の目的は、カバーのロータリ開閉とスライド開閉が選択的になされて、メイン胴体の前面に数字キーとファンクションキーを共に設置することができる充分の開放領域を確保したロータリアンドスライドタイプ携帯端末機用ヒンジモジュール及びこれを用いた携帯端末機を提供することにある。
【課題を解決するための手段】
【００１２】
上記のような目的を達成するために、本発明の技術的思想によるロータリアンドスライドタイプ携帯端末機用ヒンジモジュールは、メイン胴体に対し、カバーが上下方向スライド開閉及びロータリ開閉可能に上記メイン胴体及びカバーを結合させるロータリアンドスライドタイプ携帯端末機用ヒンジモジュールであって、上記携帯端末機のメイン胴体に固定されるベースと、上記ベースに回転可能に結合されて、上記カバーのロータリ開閉時、上記カバーと共に回転する第１マウントと、上記携帯端末機のカバーに結合された状態で上記第１マウントに上下方向にスライディング可能に結合されて、上記カバーのスライド開閉時、上記カバーと共にスライディングされる第２マウントとを含んでなり、上記カバーのロータリ開閉時、その回転軸が上記メイン胴体の上部で左方または右方に偏った位置に形成されるように、上記ベースと第１マウントとの間の結合部位が左方または右方に偏ったことをその技術的構成上の特徴とする。
【００１３】
ここで、上記第１マウントの回転時、遷移点を過ぎない角度以内では、上記第１マウントの逆回転方向に力を提供し、遷移点を過ぎた角度からは上記第１マウントの回転方向に力を提供するように、上記ベースと第１マウントとを結合させるカム手段をさらに具備することを特徴とすることができる。
【００１４】
また、上記カム手段は、上記ベースに設けられて進退するプッシング体と、上記プッシング体を進出方向に押圧するプッシング体用スプリングと、上記カバーのロータリ開閉時、上記第１マウントと共に回転するように上記第１マウントと結合され、上記遷移点に到達する時まで上記プッシング体を接触して後退する方向に押圧する三角突起を具備した回転体と、上記プッシング体が上記回転体の三角突起の頂点と正面に接触して後退した時を遷移点にして、上記遷移点が過ぎない角度以内では上記回転体が回転する反対方向に力を受けて、上記遷移点を過ぎた角度からは上記回転体が回転する方向に力を受けることを特徴とすることができる。
【００１５】
また、上記ベースは、上記プッシング体、プッシング体スプリング、及び回転体が受容される収容空間を具備したことを特徴とすることができる。
【００１６】
また、上記ベースに支持されるクリック体用スプリングと、上記クリック体用スプリングにより弾性支持されて回転体と接触する半球型のクリック体をさらに具備し、上記回転体にはロータリ開閉により上記カバーが最終的に開いて閉じる瞬間、クリック感が与えられるように、上記クリック体の一部が引き込まれる引込溝が備えられたことを特徴とすることができる。
【００１７】
また、上記第１マウントと第２マウントとの間に設けられて、上記第２マウントの上下方向スライディング時、遷移点を過ぎない距離以内では上記カバーが閉じる方向に力を提供し、遷移点を過ぎた距離からは上記カバーが開く方向に力を提供するスライド手段を具備することを特徴とすることができる。
【００１８】
上記スライド手段は、一側端部は上記第１マウントにヒンジ結合され、他側端部は上記第２マウントにヒンジ結合されたトーションスプリングであることを特徴とすることができる。
【００１９】
また、上記第２マウントが上記第１マウントに対して上下方向にスライディング可能に結合できるように、上記第１マウントには左右両端部に上下方向レールが形成されたレール部材が設けられ、上記第２マウントには左右両端部に上記上下方向レールに対応してスライディング可能に挟まれるＬ字形態の上下方向スライディング片が上下方向に沿って形成されたことを特徴とすることができる。
【００２０】
一方、本発明の携帯端末機は、メイン胴体に対し、カバーが上下方向にスライド開閉及びロータリ開閉されてメイン胴体を開放する携帯端末機であって、メイン胴体と、上記メイン胴体の前側に配向して設けられるカバーと、上記メイン胴体に固定されるベースと、上記ベースに回転可能に結合されて、上記カバーのロータリ開閉時、上記カバーと共に回転する第１マウントと、上記カバーに結合された状態で、上記第１マウントに上下方向にスライディング可能に結合されて、上記カバーのスライド開閉時、上記カバーと共にスライディングされる第２マウントとを含んでなり、上記カバーのロータリ開閉時、その回転軸が上記メイン胴体の上部で左方または右方に偏った位置に形成されるように、上記ベースと第１マウントとの間の結合部位が左方または右方に偏ったことをその技術的構成上の特徴とする。
【００２１】
ここで、上記メイン胴体は、前面上部の一側辺に突出されたガイド突起を具備し、上記カバーの後面には、上記カバーのロータリ開閉時とスライド開閉時に上記ガイド突起の移動軌道に沿って形成されて、上記ガイド突起を引込させて案内する円弧形態のロータリ方向ガイドトラックと直線形態のスライド方向ガイドトラックとが備えられ、上記ロータリ方向ガイドトラックとスライド方向ガイドトラックとは、上記カバーが閉じた状態で、上記ガイド突起が位置する箇所に交叉されるようにしたことを特徴とすることができる。
【００２２】
また、上記第１マウントの回転時、遷移点を過ぎない角度以内では上記第１マウントの逆回転方向に力を提供し、遷移点を過ぎた角度からは上記第１マウントの回転方向に力を提供するように上記ベースと第１マウントとを結合させるカム手段をさらに具備することを特徴とすることができる。
【００２３】
また、上記カム手段は、上記ベースに設けられて進退するプッシング体と、上記プッシング体を進出方向に押圧するプッシング体用スプリングと、上記カバーのロータリ開閉時、上記第１マウントと共に回転するように上記第１マウントと結合され、上記遷移点に到達する時まで上記プッシング体を接触して後退する方向に押圧する三角突起を具備した回転体と、上記プッシング体が上記回転体三角突起の頂点と正面に接触して後退した時を遷移点にして、上記遷移点が過ぎない角度以内では上記回転体が回転する反対方向に力を受けて、上記遷移点を過ぎた角度からは上記回転体が回転する方向に力を受けることを特徴とすることができる。
【００２４】
また、上記ベースは、上記プッシング体、プッシング体スプリング、及び回転体が受容される収容空間を具備したボックス形態で形成され、上記メイン胴体には上記ベースが引き込まれて安着する安着溝が形成されたことを特徴とすることができる。
【００２５】
また、上記ベースに支持されるクリック体用スプリングと、上記クリック体用スプリングにより弾性支持されて回転体と接触する半球型のクリック体をさらに具備し、上記回転体には上記カバーがロータリ開閉により最終的に開いて閉じる瞬間、クリック感が与えられるように、上記クリック体の一部が引き込まれる引込溝が備えられたことを特徴とすることができる。
【００２６】
また、上記第１マウントと第２マウントとの間に設けられて、上記第２マウントの上下方向スライディング時、遷移点を過ぎない距離以内では上記カバーが閉じる方向に力を提供し、遷移点を過ぎた距離からは上記カバーが開く方向に力を提供するスライド手段を具備することを特徴とすることができる。
【００２７】
また、上記スライド手段は、一側端部は上記第１マウントにヒンジ結合され、他側端部は上記第２マウントにヒンジ結合されたトーションスプリングで備えられ、上記第２マウントが上記第１マウントに対して上下方向にスライディング可能に結合できるように、上記第１マウントには左右両端部に上下方向レールが形成されたレール部材が設けられ、上記第２マウントには左右両端部に上記上下方向レールに対応してスライディング可能に挟まれるＬ字形態の上下方向スライディング片が上下方向に沿って形成されたことを特徴とすることができる。
【発明の効果】
【００２８】
本発明によるロータリアンドスライドタイプ携帯端末機用ヒンジモジュール及びこれを用いた携帯端末機は、カバーのロータリ開閉とスライド開閉が選択的になされると共に、メイン胴体の前面の開放領域が大きくなるにつれてファンクションキーと数字キーをメイン胴体に共に配置できることになって、カバー前面の全体をスクリーン（タッチスクリーン）設置領域に積極的に活用することができる。
【００２９】
また、本発明は、ロータリ開閉のための構成要素を携帯端末機の主要部品が占めて残った、残りの空間に設置できることになって、製品のスリム化に有利である。
【００３０】
また、本発明は、ガイド突起とガイドトラックによる簡単な構成によりロータリ開閉とスライド開閉が同時に起こらないように効果的に防ぐことができる。
【００３１】
また、本発明は、カム手段及びスライド手段により半自動でロータリ開閉及びスライド開閉を行うことができる。
【００３２】
また、本発明はメイン胴体にベースが引き込まれて安着する安着溝を具備して、ベース及びこれに受容される各種部品による製品の厚みの増加を防ぐことができる。
【００３３】
また、本発明は、ボックス形態のベースにロータリ開閉のためのカム手段を受容して１つのアセンブリ形態で構成することにより、組立時の作業性を向上させることができる。
【００３４】
また、本発明は、クリック体とクリック体用スプリングによりロータリ開閉時、ユーザにクリック感を与える。
【発明を実施するための最良の形態】
【００３５】
以下、上記のような本発明の技術的思想に従う実施形態を添付した図面を参照しつつ具体的に説明すると、次の通りである。
【００３６】
図３及び図４は本発明による携帯端末機の開いた状態を示す使用状態図であり、図５は図４を後面から見た参照図である。
【００３７】
図示したように、本発明による携帯端末機は、メイン胴体１００とカバー２００との間に設けられたヒンジモジュールによりメイン胴体１００に対してカバー２００が上下方向にスライディングして半自動開閉され、時計方向に回転して半自動で開閉される。したがって、通話時には図３のように、スライド開閉によりカバー２００を上方に開いた状態で使用し、ＤＭＢや映画視聴のように、スクリーン２１０の横モードが必要な時には、図４のようにロータリ開閉によりカバー２００を時計方向に回転させた状態で使用する。この際、メイン胴体１００に対してカバー２００が回転して開かれた形態はＴ字形をなして、殆ど左右対称されるので、片方のみに偏った逆Ｌ字形態に比べて使用が便利である。
【００３８】
このように、本発明は、ロータリ開閉とスライド開閉とも可能であるにもかかわらず、カバー２００のロータリ開閉のための回転軸（Ｓ）が左方または右方に偏るようにした偏心構成により製品のスリム化に有利なことは勿論、ロータリ開閉によりカバー２００を横モードで開いた状態でもメイン胴体１００の前面の開放領域を広く確保することができる。したがって、数字キー１１０とファンクションキー１２０をメイン胴体１００とカバー２００に各々分散して配置せず、メイン胴体１００のみに集中配置することが可能であるので、カバー２００の前面の全体をスクリーン２１０（タッチスクリーン含み）の設置領域として活用することができる。
【００３９】
このように、本発明は、カバー２００の前面の全体に大型のスクリーン２１０を装着し、かつスリム化できるように構成されて、電話通話のための携帯電話の役割は勿論、ＤＭＢ（Digital Multimedia Broadcasting）サービス及び携帯用マルチメディア機器（Personal Multimedia Player：ＰＭＰ）の用途を持つ知能型マルチ端末機を積極的に指向することができる。
【００４０】
以下、本発明の構成を上記ヒンジモジュールを中心にして詳細に説明する。但し、本実施形態では、説明の便宜のため、カバー２００のロータリ開閉のための回転軸（Ｓ）が右方に偏った構成を例示している。しかしながら、同一な原理により回転軸（Ｓ）が左方に偏って形成された構成も具現することができ、どの１つの構成だけで制限するものではない。
【００４１】
図６は本発明による携帯端末機の部分分解斜視図であり、図７は本発明に係るヒンジモジュールの分解斜視図であり、図８は後面から見た本発明に係るヒンジモジュールの分解斜視図である。
【００４２】
図示したように、本発明の携帯端末機は、メイン胴体１００と、カバー２００と、メイン胴体１００とカバー２００とをロータリ開閉及びスライド開閉可能に結合させるヒンジモジュール３００とを含んで構成される。
【００４３】
メイン胴体１００は、前面の下部に通常ダイヤリング及び簡単な文字入力などに用いられる別名３×４キーパッドと呼ばれる数字キー１１０が設けられ、これと共に、通常ナビゲーション機能及びメニュー設定機能のような多様な機能のためのファンクションキー１２０も設けられる。このように、数字キー１１０とファンクションキー１２０が各々メイン胴体１００とカバー２００に分散されて配置されず、メイン胴体１００の前面の下部に共に集中配置できることは、ロータリ開閉によりカバー２００が開いた時、メイン胴体１００で開放される領域の面積が十分に広いためである。これは、図４から見られるように、カバー２００のロータリ開閉時、その回転軸（Ｓ）がメイン胴体１００の上部中央でない右方に偏った位置に形成されるように構成されたためである。このための構成に対しては今後にヒンジモジュール３００の説明時に具体的に説明される。
【００４４】
また、メイン胴体１００の前面の上右方にはベース３１０が引き込まれて安着する安着溝１３０が形成される。安着溝１３０の形成によりベース３１０と今後に説明されるカム手段による厚みの増加が殆どない。そして、安着溝１３０がメイン胴体１００の上右方に形成されると、スクリーン２１０、カメラ、ＭＰ３プレーヤと関連した主要部品及び回路が集中される中央部位を回避しながら、残っている残りの空間を活用できるので、設置空間を節約することができる。
【００４５】
また、メイン胴体１００の前面上部の右辺にはチップ（Chip）形態で突出されたガイド突起１４０が形成される。ガイド突起１４０は、カバー２００の後面に形成されたロータリ方向ガイドトラック２２０（図５参照）とスライド方向ガイドトラック２３０（図５参照）に沿って軌道移動しながら、カバー２００のロータリ開閉とスライド開閉を許し、かつ、この２つが同時に起こらないように抑制するストッパの役割をする。
【００４６】
カバー２００は、ヒンジモジュール３００によりメイン胴体１００と結合され、後面にはメイン胴体１００のガイド突起１４０が対応してスライディング可能に引き込まれるロータリ方向ガイドトラック２２０とスライド方向ガイドトラック２３０とが備えられる。ロータリ方向ガイドトラック２２０は、カバー２００がロータリ開閉される時に移動するガイド突起１４０の軌道に沿って形成される。これで、カバー２００のロータリ開閉時にはスライド開閉が同時に起こらないように抑制される。一方、スライド方向ガイドトラック２３０は、カバー２００がスライド開閉される時に移動するガイド突起１４０の軌道に沿って形成される。これで、カバー２００のスライド開閉時にはロータリ開閉が同時に起こらないように抑制される。ロータリ方向ガイドトラック２２０とスライド方向ガイドトラック２３０は、その右側端部と上側端部が交叉して連結され、その交叉部位はカバー２００が閉じた状態でガイド突起１４０が位置する箇所となる。また、カバー２００の前面の全体はスクリーン２１０を設置する領域として活用されることができる。
【００４７】
ヒンジモジュール３００は、メイン胴体１００に対してカバー２００が上下方向移動によるスライド開閉及び回転によるロータリ開閉が各々半自動でなされるように、メイン胴体１００及びカバー２００を結合させる役割をする。このために、ヒンジモジュール３００は、ベース３１０、第１マウント３２０、第２マウント３３０、カム手段であるプッシング体３４３、プッシング体用スプリング３４１、回転体３５０、及びスライド手段であるトーションスプリング３６０を含み、クリック体３４７とクリック体用スプリング３４５も含む。下記では、これらの各々の構成要素について説明する。
【００４８】
ベース３１０は、収容空間３１１を持つボックス形態の部材であって、メイン胴体１００の上右方に偏って形成された安着部１３０に安着して固定される。収容空間３１１の上部と下部には互いに対向する一対のプッシング体３４３とその後を弾性支持して押圧するプッシング体用スプリング３４１が受容される。そして、収容空間３１１の中央には回転体３５０を回転可能に支持する回転中心体３１３が備えられる。ベース３１０は、その左方と右方にクリック体３４７とクリック体用スプリング３４５が受容される設置空間３１５を具備し、設置空間３１５からクリック体３４７の半球型突部３４７Ａが回転体３５０に向けて突出されるように通孔３１６を具備する。このような構成によると、ベース３１０には、プッシング体３４３、プッシング体用スプリング３４１、及び回転体３５０をはじめとして、クリック体３４７とクリック体用スプリング３４５が受容される。そして、ベース３１０の収容空間３１１をベース蓋３１７が覆って、１つのアセンブリをなす。ベース蓋３１７には、回転体３５０のうち、マウント結合部３５０Ｂが露出されて第１マウント３２０と結合されるように開口部３１７Ａが形成される。
【００４９】
第１マウント３２０は、カバー２００の回転時、ベース３１０に対して回転しながらカバー２００の回転を許す役割をし、カバー２００のスライディング時、カバー２００と共にスライディングされる第２マウント３３０を案内する役割をする。このために、第１マウント３２０は、メイン胴体１００に対応する左右幅を有し、右方が回転体３５０のマウント結合部３５０Ｂと結合されて、回転体３５０を媒介にしてベース３１０と回転可能に結合される。第１マウント３２０には、左右両端部に上下方向レール３２１Ａが形成されたレール部材３２１が設けられる。レール部材３２１を固定するために、第１マウント３２０の左右両端部３２２はコ字形態に折れて形成される。
【００５０】
第２マウント３３０は、第１マウント３２０に対してスライディングされながらカバー２００のスライド開閉を許す役割をする。第２マウント３３０は、カバー２００に対応する上下幅と左右幅を油脂、左右両方が第１マウント３２０にスライディング可能に結合される。このために、第２マウント３３０の左右両端部には、レール部材３２１に形成された上下方向レール３２１Ａに対応してスライディング可能に挟まれるＬ字形態のスライディング片３３１が形成される。また、第２マウント３３０の上側端部には第１マウント３２０の上側端部にかかりながら、第１マウント３２０に対して過度な下方への移動を防ぐチップ（Chip）形態のストッパ３３３が簡単に設けられる。
【００５１】
カム手段は、カバー２００のロータリ開閉時、半自動開閉されるように、弾性力を与える役割をするものであって、プッシング体３４３と、プッシング体用スプリング３４１と、回転体３５０とを含んでなる。これらを説明すると、下記の通りである。
【００５２】
プッシング体３４３は、ベース３１０の収容空間３１１の上部と下部で互いに対向して進退可能な一対で設けられる。プッシング体３４３は、後段部にプッシング体用スプリング３４１が挟まれる複数の嵌合突起３４３Ａを具備してプッシング体用スプリング３４１と結合される。嵌合突起３４３Ａによりプッシング体３４３とプッシング体用スプリング３４１はベース３１０の収容空間３１１に受容される前に１つのアセンブリ３４０をなす。
【００５３】
プッシング体用スプリング３４１は、ベース３１０の収容空間３１１で上側内壁と下側内壁に支持されながらプッシング体３４３を弾性支持して進出方向に押圧する役割をする。
【００５４】
回転体３５０は、外周面に三角突起３５１を具備した円筒形のベース結合部３５０Ａと円板型のマウント結合部３５０Ｂとからなる。ベース結合部３５０Ａは、ベース３１０の回転中心体３１３の外側に回転可能に挟まれる嵌合ホール３５２を具備する。また、三角突起３５１は、ベース結合部３５０Ａの外周面に沿って１８０度周期で形成され、頂点を中心に、その両側に傾斜ラインが間角９０度をなすプロファイルを持つ。これは、カバー２００の９０度回転によるロータリ開閉を念頭に置いた構成であって、メイン胴体１００に対するカバー２００の開閉角度に従い、三角突起３５１の形態や形成周期を変更できることは勿論である。
【００５５】
このような構成によると、カバー２００のロータリ開閉時、回転体３５０が回転しながら突出された三角突起３５１によりプッシング体３４３を接触して押し出すことになる。回転体３５０が４５度回転した時には、プッシング体３４３が三角突起３５１と正面に対向することになりながら、最も多く後退することになるが、その時がロータリ開閉時のカバー２００の回転方向が反対に転換される直前である過渡期的な遷移点となる。上記遷移点を中心にして、上記遷移点が過ぎない角度以内では回転体３５０が三角突起３５１とプッシング体３４３との作用により回転する反対方向に力の提供を受ける。この際、カバー２００は閉じようとする傾向を有する。しかしながら、上記遷移点を過ぎた角度からは三角突起３５１とプッシング体３４３との作用により逆に回転体３５０が回転する方向に力の提供を受ける。この際、カバー２００は開こうとする傾向を有することになる。但し、本実施形態では、三角突起３５１の形態が間角９０度である二等辺三角形であることを基準としたので、カバー２００の回転角度が４５度角度である時を遷移点としているが、これは三角突起３５１の形態を変形させることによって、調節可能である。
【００５６】
トーションスプリング３６０は、第２マウント３３０が第１マウント３２０に対して上下方向に半自動スライド開閉されるように役割をするものであって、スライドタイプ携帯端末機に一般的に採択されているトーションスプリング３６０の構成と違わない。このために、トーションスプリング３６０の両端部３６１、３６３は、各々第１マウント３２０と第２マウント３３０に設けられた結合ピン３２２、３３２と回転可能に結合される。トーションスプリング３６０の両端部は、結合ピン３２２、３３２との結合を容易にするために、巻いた形態で形成される。
【００５７】
一方、本発明は、カバー２００のロータリ開閉時、最終的に開いて閉じる瞬間、ユーザにクリック感が感じられるように、クリック体３４７及びクリック体用スプリング３４５を具備する。このために、クリック体３４７とクリック体用スプリング３４５は、共に組み立てられた状態で、ベース３１０の設置空間３１５に挿入されて設けられる。ここで、クリック体３４７に形成された半球型突部３４７Ａがベース３１０の通孔３１６を通じて突出されて回転体３５０と接触する。一方、回転体３５０の周り部にはカバー２００が最終的に開いて閉じる瞬間、クリック体３４７の半球型突部３４７Ａの一部が引き込まれながらクリック感が生じられるように、引込溝３５３が備えられる。
【００５８】
このように構成された本発明の動作を添付した図面により詳細に説明すると、次の通りである。図９乃至図１２は、本発明によるカバーの開閉時の動作及び作用を説明するための一連の参照図である。
【００５９】
まず、図９は、カバー２００がメイン胴体１００に対して閉じている時、ヒンジモジュール３００の初期状態を示している。このような初期状態は、ベース３１０に対して第１マウント３２０が回転しない状態であって、回転体３５０に形成されている三角突起３５１がプッシング体３４３の押す力によりベース３１０の左側内壁に安定するように支持されている。この際、回転体３５０に結合された第１マウント３２０もプッシング体３４３を押しているプッシング体用スプリング３４１の影響を受けて回転しようとしない傾向を有し、カバー２００も外力が加えられない限り回転せず、閉じた状態を維持しようとする傾向を有する。
【００６０】
また、このような初期状態は、第１マウント３２０に対して第２マウント３３０が上方に移動しない状態で、第１マウント３２０と第２マウント３３０との間に設けられたトーションスプリング３６０により第２マウント３３０が下方に弾性支持されているので、外力が加えられない限り、カバー２００が閉じた状態を維持しようとする傾向を有する。
【００６１】
このような初期状態でカバー２００に時計方向に力が加えられて時計方向に回転することになると、カバー２００と結合された第１マウント３２０及び回転体３５０がベース３１０に対して時計方向に回転する。この際、回転体３５０の三角突起３５１が共に回転しながらプッシング体３４３を徐々に押し出すことになる。この際、プッシング体３４３は、回転体３５０の三角突起３５１により押されるが、プッシング体用スプリング３４１の弾性支持を受けているので、三角突起３５１が時計方向に回転しないように抵抗することになる。これによって、回転体３５０、第１マウント３２０、及びカバー２００は作用する外力に対して反時計方向に回転して閉じようとする傾向を維持する。
【００６２】
以後、カバー２００に外力が持続的に加えられて４５度回転することになると、図１０のような遷移点に達する。このような遷移点では、カバー２００及び第１マウント３２０がベース３１０に対して４５度回転した状態であって、回転体３５０の三角突起３５１は、プッシング体３４３を正面に対向している。その時は、三角突起３５１の頂点のみがプッシング体３４３と接触して一時的な均衡を維持しているが、プッシング体３４３が最も多く後退してプッシング体用スプリング３４１のエネルギー蓄積値が最高値に達した、非常に不安定な状態である。このように、回転体３５０の三角突起３５１がプッシング体３４３に正面に対向している時を遷移点とし、その以前の角度ではカバー２００を時計方向に回転させようとする外力が消えると、元の状態に戻ってカバー２００が閉じることになる。しかしながら、外力がさらに加えられて、上記遷移点を一旦超えると、三角突起３５１がプッシング体３４３により押されながら回転しようとする方向がその以前とは反対に外力が作用する時計方向と一致することになって、カバー２００が瞬く間に開きながら図１１のような状態となる。
【００６３】
図１１は、ロータリ開閉によりカバー２００が完全に開かれた状態を示している。このような状態はベース３１０に対して第１マウント３２０が完全に回転した状態であって、遷移点の以後の三角突起３５１がプッシング体３４３の押す力により時計方向に回転してからベース３１０の右側の内壁に塞がりながら止まっている。この際、プッシング体３４３は、圧縮スプリングであるプッシング体用スプリング３４１の弾性支持を受けながら、回転体３５０の三角突起３５１が反時計方向に回転できないように押しているので、回転体３５０に結合された第１マウント３２０及びカバー２００は回転しようとしない傾向を有する。これによって、カバー２００は外力が加えられない限り、開いた状態を続けて維持しようとする傾向を有する。
【００６４】
一方、図１２は、図９のような初期状態でカバー２００に上方に力が加えられて完全に開かれた時のヒンジモジュール３００の状態を示している。この際、第１マウント３２０に対して第２マウント３３０が最大限上側に位置する。このように、スライド開閉によりカバーが開く過程で、第１マウント３２０と第２マウント３３０との間に設けられたトーションスプリング３６０も遷移点を持って作用することになるが、上記遷移点を基準にして、その以前ではカバー２００が閉じようとする方向に作用し、その以後にはカバー２００が開こうとする方向に作用する。したがって、上記遷移点までだけユーザが力を加えてカバー２００を上方に開いてくれると、以後からはトーションスプリング３６０が第２マウント３３０に上方に作用しながらカバー２００は自動で開くことになる。
【００６５】
逆に、カバー２００が閉じる動作及び作用も方向のみ反対であるだけであり、同一な原理により起きる。
【００６６】
以上、本発明の好ましい実施形態を説明したが、本発明は多様な変化、変更、及び均等物を使用することができる。本発明は、上記の実施形態を適切に変形して同一に応用できることが明確である。したがって、上記の記載内容は特許請求範囲の限界により定まる本発明の範囲を限定するものではない。
【図面の簡単な説明】
【００６７】
【図１】従来の技術によるロータリアンドスライドタイプの携帯端末機を示す参照図である。
【図２】従来の技術によるロータリアンドスライドタイプの携帯端末機を示す参照図である。
【図３】本発明による携帯端末機の開いた状態を示す使用状態図である。
【図４】本発明による携帯端末機の開いた状態を示す使用状態図である。
【図５】図４を後面から見た参照図である。
【図６】本発明による携帯端末機の部分分解斜視図である。
【図７】本発明に係るヒンジモジュールの分解斜視図である。
【図８】後面から見た本発明に係るヒンジモジュールの分解斜視図である。
【図９】本発明によるカバーの開閉時の動作及び作用を説明するための一連の参照図である。
【図１０】本発明によるカバーの開閉時の動作及び作用を説明するための一連の参照図である。
【図１１】本発明によるカバーの開閉時の動作及び作用を説明するための一連の参照図である。
【図１２】本発明によるカバーの開閉時の動作及び作用を説明するための一連の参照図である。
【符号の説明】
【００６８】
１００    メイン胴体
１４０    ガイド突起
２００    カバー
２２０、２３０    ガイドトラック
３００    ヒンジモジュール
３１０    ベース
３２０    第１マウント
３２１    レール部材
３３０    第２マウント
３３１    スライディング片
３４１    プッシング体用スプリング
３４３    プッシング体
３４５    クリック体用スプリング
３４７    クリック体
３５０    回転体
３５１    三角突起
３６０    トーションスプリング
【図１】
2009177343.tif 000003
【図２】
2009177343.tif 000004
【図３】
2009177343.tif 000005
【図４】
2009177343.tif 000006
【図５】
2009177343.tif 000007
【図６】
2009177343.tif 000008
【図７】
2009177343.tif 000009
【図８】
2009177343.tif 000010
【図９】
2009177343.tif 000011
【図１０】
2009177343.tif 000012
【図１１】
2009177343.tif 000013
【図１２】
2009177343.tif 000014